(57)【特許請求の範囲】
【請求項１】
長尺体を着脱可能に保持する帯状の長尺体保持部と、
前記長尺体保持部を着脱可能に固定する第１の固定部と、当該第１の固定部に設けられ、該第１の固定部を対象物に固定する第２の固定部と、を有するベース部と、
を備え、
前記長尺体保持部は、長手方向一端側に形成された第１の係合部と、前記長手方向に沿って形成され且つ当該第１の係合部と係合する第２の係合部と、前記第１の係合部近傍に形成された係止爪と、を有し、
前記第１の固定部は、前記長尺体保持部を移動可能に貫通する貫通孔と、前記第１の係合部が挿入されると共に、当該第１の係合部を、前記貫通孔を貫通した長尺体保持部の第２の係合部に係合させてロックするロック部と、前記ロック部に形成され且つ前記係止爪が係止される係止部と、を有し、
前記長尺体保持部は、長手方向先端部に略Ｖ字状の折返部を有し、当該折返部の略Ｖ字状を画定する屈曲部は、その屈曲角度を弾性的に変更可能であると共に、その外側に前記第１の係合部が形成され、当該第１の係合部よりも先端側の外側に前記係止爪が形成されてなり、
前記ロック部は、前記折返部が弾発的に着脱可能に挿入される挿入孔を有し、当該挿入孔を画定する壁面に、前記係止部が形成されてなる長尺体保持具。
【請求項２】
前記貫通孔に挿入された長尺体保持部は、前記第１の係合部を前記第２の係合部に係合させた際に、前記長尺体を保持可能な環を形成すると共に、当該環の径を小さくする方向に移動可能である請求項１記載の長尺体保持具。
【請求項３】
前記長尺体保持部の前記第２の係合部が形成されている領域は、長手方向に垂直な方向の両端部が互いに近づくように湾曲可能である請求項１または請求項２記載の長尺体保持具。
【請求項４】
前記長尺体保持部の前記第２の係合部が形成されている領域は、長手方向に垂直な方向の両端部の肉厚が、当該両端部の間の肉厚よりも大きい請求項１ないし請求項３のいずれか一項に記載の長尺体保持具。
【請求項５】
前記長尺体保持部は、前記第１の係合部よりも長手方向他端側であり且つ当該第１の係合部の近傍に、ヒンジ部が形成されてなる請求項１ないし請求項４のいずれか一項に記載の長尺体保持具。
【請求項６】
前記長尺体保持部は、前記ヒンジ部よりも長手方向他端側であり且つ当該ヒンジ部の近傍に、当該ヒンジ部と間隔をおいて、ヒンジ部がさらに形成されてなる請求項５記載の長尺体保持具。
【請求項７】
前記ロック部に、前記貫通孔に挿入された長尺体保持部を仮止めする仮止部を設けた請求項１ないし請求項６のいずれか一項に記載の長尺体保持具。
【発明の詳細な説明】
【技術分野】
【０００１】
本発明は、例えば、シャーシ、パネル、壁等の対象物（被固定部材）に配線や配管等の長尺な部材を固定する長尺体保持具に関する。
【背景技術】
【０００２】
従来、配線や配管等の長尺体をシャーシ、パネル、壁等の対象物（被固定部材）に固定するため様々な保持具が使用されている。このような保持具は、例えば、長尺体を保持する保持部と、この保持部を対象物に固定するために前記保持部の下方に一体に形成された固定部を備えており、対象物の予め開口された取付孔に前記固定部を差し込んだり、あるいは、両面テープ等により接着することで対象物に固定される。
【０００３】
このような保持具としては、例えば、基台と一体で弾性Ｃ形帯板と起立片を形成し、さらに該弾性Ｃ形帯板の先端部に引掛片を有する係止片を形成するとともに基台の裏面に被固定部材との固定部を形成したものがある。この保持具は、前記係止片と起立片の間から電線を入れ、弾性Ｃ形帯板を基台に向けて押し下げて、前記引掛片と起立片の受け爪を係合させて、電線を弾性Ｃ形帯板内に保持するようにした構成を備えている。（例えば、特許文献１参照）。
【０００４】
また、複数の係止部を有するバンドと該バンドの差込端を挿入可能に形成され該バンドの係止部を係止させる突起を有するバンド固定部とをベース板に一体に形成した長尺体の保持部を形成し、さらにベース板に一体に差込脚（対象物との固定手段）を形成した保持具も紹介されている。（例えば、特許文献２及び特許文献３参照）。
【特許文献１】実公平２−１８３８９号公報
【特許文献２】実開昭６４−４０２２８号公報
【特許文献３】実開平１−１１６５２０号公報
【発明の開示】
【発明が解決しようとする課題】
【０００５】
しかしながら、前述した特許文献１に記載された保持具は、１つのサイズで保持できる長尺体の径の範囲が限られているために、径の変化に対応するため多種のサイズを用意する必要があった。
【０００６】
また、特許文献２及び特許文献３に記載された保持具は、長尺体の保持部に複数の係止部を有するバンドを備えているので、長尺体の径の変化に対応することができたものの、取り外す必要が生じた時に、バンドの係止部と係止部に噛み合う突起との係止を外すための操作に手間がかかる。
【０００７】
本発明は、このような従来の長尺体保持具を改良することを課題とするものであり、長尺体の径の変化に対応することができ、且つ長尺体の着脱が容易に行えると共に、小型化を達成した長尺体保持具を提供することを目的とする。
【課題を解決するための手段】
【０００８】
この目的を達成するため、本発明は、長尺体を着脱可能に保持する帯状の長尺体保持部と、前記長尺体保持部を着脱可能に固定する第１の固定部と、当該第１の固定部に設けられ、該第１の固定部を対象物に固定する第２の固定部と、を有するベース部と、を備え、前記長尺体保持部は、長手方向一端側に形成された第１の係合部と、前記長手方向に沿って形成され且つ当該第１の係合部と係合する第２の係合部と、を有し、前記第１の固定部は、前記長尺体保持部を移動可能に貫通する貫通孔と、前記第１の係合部が挿入されると共に、当該第１の係合部を、前記貫通孔を貫通した長尺体保持部の第２の係合部に係合させてロックするロック部と、を有してなる長尺体保持具を提供するものである。
【０００９】
この構成を備えた長尺体保持具は、ベース部に形成された貫通孔に貫通させた長尺体保持部の第１の係合部をロック部に挿入して、当該第１の係合部と、前記長尺体保持部に形成された第２の係合部とを係合させることで、長尺体保持部に長尺体を保持させることができ、また、第１の係合部と第２の係合部との係合を解除することで、長尺体を長尺体保持部から解放することができる。したがって、長尺体の着脱を容易に行うことができる。また、第１の係合部と第２の係合部が、長尺体保持部に形成されているため、小型化を達成することができる。さらにまた、長尺体保持部は、前記貫通孔を移動可能に貫通するため、保持すべき長尺体の径の変化に簡単に対応することができる。
【００１０】
また、本発明にかかる長尺体保持具は、前記貫通孔に挿入された長尺体保持部は、前記第１の係合部を前記第２の係合部に係合させた際に、前記長尺体を保持可能な環を形成すると共に、当該環の径を小さくする方向に移動可能に構成することができる。この構成により、第１の係合部を前記第２の係合部に係合させ、長尺体保持部により形成した環によって長尺体を保持した後、この長尺体保持部の他端（第１の係合部が形成されている側とは反対側の端部）を引っ張って、前記環の径を小さくし、前記長尺体を長尺体保持具によってしっかりと締め付けることができる。したがって、長尺体を長尺体保持具によって一層確実に保持・固定することができる。
【００１１】
そしてまた、本発明にかかる長尺体保持具は、前記長尺体保持部の前記第２の係合部が形成されている領域を、長手方向に垂直な方向の両端部が互いに近づくように湾曲可能に構成することもできる。このように構成することで、前記貫通孔に長尺体保持部を挿入して第１の係合部と第２の係合部とを係合させた状態から、前記第２の係合部が形成されている領域を、前述した方向に湾曲させることができる。このため、第１の係合部を一時的に第２の係合部から離すことができ、当該長尺体保持部を、長尺体を締め付ける方向（長尺体保持部によって形成された環の径を小さくする方向）にさらに容易に引っ張ることができる。
【００１２】
また、本発明にかかる長尺体保持具は、前記長尺体保持部の前記第２の係合部が形成されている領域における長手方向に垂直な方向の両端部の肉厚を、当該両端部の間の肉厚よりも大きく構成することもできる。このように構成することで、前記貫通孔に長尺体保持部を挿入して第１の係合部と第２の係合部とを係合させた状態から、長尺体保持部の第２の係合部が形成されている領域を、前述した方向にさらに湾曲させやすくすることができる。したがって、第１の係合部を一時的に第２の係合部から離すことができ、当該長尺体保持部を、長尺体を締め付ける方向にさらに容易に引っ張ることができる。
【００１３】
また、前記長尺体保持部は、前記第１の係合部近傍に係止爪を有し、前記ロック部に、当該係止爪が係止される係止部を形成した構成を備えることができる。この場合、前記長尺体保持部は、長手方向先端部に略Ｖ字状の折返部を有し、当該折返部の略Ｖ字状を画定する屈曲部は、その屈曲角度を弾性的に変更可能であると共に、その外側に前記第１の係合部が形成され、当該第１の係合部よりも先端側の外側に前記係止爪が形成されてなり、前記ロック部は、前記折返部が弾発的に着脱可能に挿入される挿入孔を有し、当該挿入孔を画定する壁面に、前記係止部が形成された構成とすることもできる。
【００１４】
そしてまた、前記長尺体保持部は、前記第１の係合部よりも長手方向他端側であり且つ当該第１の係合部の近傍に、ヒンジ部を形成した構成を備えることもできる。このように構成することで、例えば、保持すべき長尺体の径が小さい場合であっても、長尺体保持部をこの長尺体に沿って湾曲し易くする（長尺体保持部によって形成された環の径を小さくし易くする）ことができ、当該長尺体を確実に保持することができる。
【００１５】
さらにまた、前記長尺体保持部は、前記ヒンジ部よりも長手方向他端側であり且つ当該ヒンジ部の近傍に、当該ヒンジ部と間隔をおいて、他のヒンジ部がさらに形成されていてもよい。
【００１６】
そしてまた、本発明にかかる長尺体保持具は、前記ロック部に、前記貫通孔に挿入された長尺体保持部を仮止めする仮止部を設けた構成を備えていてもよい。このように構成することで、長尺体保持部の所望の位置を仮止めしておくことができるため、保持すべき長尺体の径に合わせて、長尺体保持部をベース部に仮止めしておくこともでき、長尺体を保持する際の作業性を向上させることができる。
【発明の効果】
【００１７】
本発明にかかる長尺体保持具は、ベース部の貫通孔に貫通させた長尺体保持部の第１の係合部をロック部に挿入して、当該第１の係合部と、前記長尺体保持部に形成された第２の係合部とを係合させることで、長尺体保持部に長尺体を保持させ、また、第１の係合部と第２の係合部との係合を解除することで、長尺体を長尺体保持部から解放することができるため、長尺体の着脱を容易に行うことができる。また、第１の係合部と第２の係合部が、長尺体保持部に形成されているため、小型化を達成することができる。さらにまた、長尺体保持部は、前記貫通孔を移動可能に貫通するため、保持すべき長尺体の径の変化に簡単に対応することができる。
【発明を実施するための最良の形態】
【００１８】
次に、本発明の好適な実施の形態にかかる長尺体保持具について図面を参照して説明する。なお、以下に記載される実施の形態は、本発明を説明するための例示であり、本発明をこの実施の形態にのみ限定するものではない。したがって、本発明は、その要旨を逸脱しない限り、様々な形態で実施することができる。
【００１９】
図１は、本発明の実施の形態にかかる長尺体保持具の斜視図、図２は、図１に示す長尺体保持具の構成要素である長尺体保持部としてのバンドの斜視図、図３は、図２に示すバンドの裏面を示す斜視図、図４は、図３に示すバンドの側面図、図５は、図４に示すＶ−Ｖ線に沿って破断した状態を示す断面図、図６は、図５に示すVI−VI線に沿って破断した状態を示す断面の一部を示す図、図７は、図１に示す長尺体保持具の構成要素であるベース部の斜視図、図８は、図７に示すベース部の正面図、図９は、図８に示すIX−IX線に沿って破断した状態を示す断面図、図１０は、図１に示す長尺体保持具で、長尺体としての複数の配線を保持する工程の一部を示す斜視図、図１１は、図１に示す長尺体保持具で、長尺体としての複数の配線を保持する工程の一部を示す側面図、図１２は、図１に示す長尺体保持具で、長尺体としての複数の配線を保持する工程の一部を示す斜視図、図１３及び図１４は、図１に示す長尺体保持具で複数の配線を保持する工程の一部を示す側面図、図１５は、図１１に示すXV−XV線に沿って破断した状態を示す断面図、図１６は、図１３に示すXVI−XVI線に沿って破断した状態を示す断面図、図１７は、図１６に示すXVII−XVII線に沿って破断した状態を示す断面図であり、バンドをロックした状態を示す図、図１８は、図１６に示すXVII−XVII線に沿って破断した状態を示す断面図であり、バンドをロック状態で移動させている状態を示す図、図１９は、図７に示すベース部を対象物（シャーシ）に固定した状態を示す図であり、対象物のみを断面にした図である。
【００２０】
図１〜図１８に示すように、本実施の形態にかかる長尺体保持具１は、長尺体としての配線１００を着脱可能に保持するバンド１０（長尺体保持部）と、バンド１０を着脱可能に固定すると共に、例えば、シャーシ、パネル、壁等の対象物（本実施の形態ではシャーシ２００）に固定されるベース部５０とを備えて構成されている。
【００２１】
バンド１０は、配線１００に巻き付けることができる適度な弾性を備えた帯状を有し、その長手方向の一端に略Ｖ字状の折返部１１が形成されている。この折返部１１は、略Ｖ字状を画定する屈曲部１２が、その屈曲角度を弾性的に変更可能となっている。この屈曲部１２の外側面には、複数の歯１３Ａを有する第１の係合部１３が形成されている。また、バンド１０の第１の係合部１３よりも先端側の立ち上がり部分の外側には、係止爪１４が形成されている。さらに、バンド１０の係止爪１４よりも先端側には、折返部１１の開放端の一部が外側に折り曲げられた操作片１５が形成されている。そして、この操作片１５を指で押してバンド１０に向けて接近させると、折返部１１が弾性変形して、略Ｖ字が狭くなる方向に移動するようになっている。
【００２２】
一方、バンド１０の、第１の係合部１３が形成された側とは反対側の端部には、バンド１０を、後に詳述するベース部５０の貫通孔５５に導くための差込縁１６が形成されている。この差込縁１６は、第１の係合部１３側が、表面視（図２に示す状態、以下、こちら側の面を「表面」という）で凸状に湾曲した湾曲部１７となっており、この湾曲部１７を把持することで、ベース部５０の貫通孔５５に挿入したバンド１０を、この貫通孔５５に対して簡単に進退移動させることができるようになっている。また、この湾曲部１７は、バンド１０が貫通孔５５から抜け落ち難くする役割も果たしている。
【００２３】
バンド１０の表面であって、折返部１１と差込縁１６との間には、第１の係合部１３と係合する第２の係合部１８が、バンド１０の長手方向に沿って形成されている。この第２の係合部１８は、第１の係合部１３の歯１３Ａと噛み合う複数の歯１８Ａを備えている。第２の係合部１８の各々の歯１８Ａは、特に図６に示すように、第１の係合部１３側の外壁１８Ｂが、バンド１０の表面に対して略垂直に立設されており、差込縁１６側の外壁１８Ｃが、バンド１０の表面に対して斜めに形成されている。したがって、第１の係合部１３と第２の係合部１８とを係合させて、配線１００を保持するための環を形成した状態で、矢印Ｂ方向（すなわち、バンド１０によって形成される環の径を小さくする方向：図１０、図１２、図１３、図１５及び図１６参照）に移動させることができるが、矢印Ｄ方向（すなわち、バンド１０によって形成される環の径を大きくする方向：図１４及び図１５参照）には移動できないようになっている。
【００２４】
また、バンド１０の裏面には、第２の係合部１８が形成されている領域から、差込縁１６の先端近傍まで、バンド１０の長手方向に沿って凹部１９が形成されている。したがって、特に、図５に示すように、バンド１０は、凹部１９が形成されている領域において、長手方向に垂直な方向の両端部２０Ａ及び２０Ｂの肉厚が、両端部２０Ａ及び２０Ｂの間の肉厚よりも厚くなっている。そして、この構成によって、バンド１０は、両端部２０Ａ及び２０Ｂが互いに近づくように湾曲可能となっている。
【００２５】
また、バンド１０の裏面であって、折返部１１よりも第２の係合部１８側には、バンド１０をベース部５０に固定して配線を保持させた際に、バンド１０の差込縁１６側を挿入して留めるバンド通し部２１が形成されている。
【００２６】
さらに、バンド１０は、折返部１１とバンド通し部２１との間にヒンジ部２２が、バンド通し部２１の第２の係合部側近傍に、ヒンジ部２３が形成されている。これらのヒンジ部２２及び２３によって、例えば、保持すべき配線１００の径が小さい場合であっても、バンド１０を、この配線１００に沿って湾曲し易くすることができ、バンド１０によって形成される環の径を小さくでき、配線１００を確実に保持することができる。
【００２７】
ベース部５０は、バンド１０を着脱可能に固定する第１の固定部５１と、第１の固定部５１に設けられ、第１の固定部５１をシャーシ２００（図１９参照）に固定する第２の固定部５２とを備えて構成されている。
【００２８】
第１の固定部５１は、略直方体形状を有し、第２の固定部５２側に形成されてバンド１０を矢印Ｂ方向及び矢印Ｄ方向に進退移動可能に貫通させる貫通孔５５と、第１の固定部５１の貫通孔５５よりも上部に形成されると共に、貫通孔５５に連通するロック穴５６とを備えている。
【００２９】
ロック穴５６は、折返部１１の屈曲部１２における屈曲角度が小さくなるよう弾性変形させた状態で折返部１１を挿入可能なサイズを有している。このロック穴５６を画定する矢印Ｂ方向（バンド１０の差込縁１６の挿入方向）側に位置する壁部５７には、折返部１１が弾性復元しようとした際に、折返部１１に形成された係止爪１４の一部を受領する開口５８が形成されており、この開口５８を画定する上壁が、係止爪１４を係止する係止部５９となっている。また、壁部５７と対向する壁部６０の上部には、バンド１０の幅とほぼ同様の幅で切欠かれ、ロック穴５６に折返部１１が挿入された際に、バンド１０を支持する切欠き部６１が形成されている。
【００３０】
なお、ロック穴５６は、貫通孔５５に連通しているため、ロック穴５６に折返部１１が挿入された際に、折返部１１の屈曲部１２の外面に形成された第１の係合部１３を、貫通孔５５に挿入されたバンド１０の第２の係合部１８に接触させることができ、第１の係合部１３と第２の係合部１８とを係合させてロックすることができる。また、折返部１１をロック穴５６に挿入するだけで、第１の係合部１３と第２の係合部とを係合させることができるため、第１の固定部の構造が簡単であり、小型化も達成される。
【００３１】
第２の固定部５２は、長尺体保持具１をシャーシ２００に固定する際に、シャーシ２００の配線１００が保持される側の面（以下、この面を「表面」という）に、弾性的に当接する略弓状の弾性弓片６５と、弾性弓片６５の中央から延出した支柱６６と、支柱６６の先端に形成され、シャーシ２００に形成された固定穴２０１（図１９参照）にシャーシ２００の表面側から挿入されて、シャーシ２００の裏面に当接する矢じり状の弾性逆止片６７Ａ及び６７Ｂと、支柱６６の基端側に弾性弓片６５と間隔をおいて形成され、長尺体保持具１をシャーシ２００に固定する際に、シャーシ２００の表面に当接する当接片６８とを備えて構成されている。
【００３２】
この第２の固定部５２は、支柱６６及び弾性逆止片６７Ａ及び６７Ｂを固定穴２０１に挿入する際に、弾性逆止片６７Ａ及び６７Ｂの自由端が、支柱６６に近づくように変形して固定穴２０１に挿入され、その後、弾性復元して、弾性逆止片６７Ａ及び６７Ｂの自由端の端面が、シャーシ２００の裏面に当接する。これと同時に、当接片６８がシャーシ２００の表面に当接し、弾性弓片６５が弾性的にシャーシ２００の表面を押圧する。この動作により、第２の固定部５２は、シャーシ２００の両面を挟持することにより、シャーシ２００に固定される。
【００３３】
次に、本実施の形態にかかる長尺体保持具１の具体的動作について、図面を参照して説明する。
【００３４】
シャーシ２００に長尺体保持具１を固定するには、先ず、シャーシ２００に形成された固定穴２０１（図１９参照）に、長尺体保持具１のベース部５０の第２の固定部５２の先端を挿入する。この動作により、弾性逆止片６７Ａ及び６７Ｂの外壁が、固定穴２０１を画定している壁面に押圧されて、弾性逆止片６７Ａ及び６７Ｂの自由端が、支柱６６に近づくように変形しながら固定穴２０１を貫通すると共に、弾性弓片６５が弾性的にシャーシ２００の表面を押圧する。
【００３５】
支柱６６及び弾性逆止片６７Ａ及び６７Ｂが、固定穴２０１を貫通すると、弾性逆止片６７Ａ及び６７Ｂは弾性復元して元の状態に戻り、弾性逆止片６７Ａ及び６７Ｂの自由端の端面が、シャーシ２００の裏面に当接する。また、当接片６８がシャーシ２００の表面に当接する。このようにして、図１９に示すように、弾性逆止片６７Ａ及び６７Ｂ及び当接片６８によってシャーシ２００の表面を、弾性逆止片６７Ａ及び６７Ｂによってシャーシ２００の裏面を挟持することで、長尺体保持具１をシャーシ２００に固定する。
【００３６】
次に、シャーシ２００に固定された長尺体保持具１のバンド１０に、複数の配線１００を保持させるには、先ず、ベース部５０に開口された貫通孔５５に、バンド１０の差込縁１６を差し込んで、図１に示すように、貫通孔５５にバンド１０を貫通させる。次いで、図１０に示すように、貫通孔５５を貫通したバンド１０上に保持すべき複数の配線１００を載置する。
【００３７】
次に、バンド１０の折返部１１を図１０に示す矢印Ａ方向に湾曲させ、図１１に示す状態にし、折返部１１を矢印Ｃ方向に移動させて、図１２に示すように、ベース部５０の第１の固定部５１に形成されたロック穴５６内に挿入し、バンド１０によって配線を保持するための環を形成する。この時、折返部１１は、ロック穴５６を画定する壁面に当接して、屈曲部１２の屈曲角度が小さくなる方向に弾性変形しながら、ロック穴５６内に挿入される。そして、第１の係合部１３の歯１３Ａと、第２の係合部１８の歯１８Ａとが係合すると同時に、係止爪１４の一部が開口５８に受領されて屈曲部１２の屈曲角度を大きくする方向に復元しようとし、図１２、図１３及び図１６に示すように、係止爪１４の上部を係止部５９に押圧して、折返部１１がロック穴５６内でロックされる。
【００３８】
次に、バンド１０で配線１００を固定するため、図１２及び図１３に示す状態から、バンド１０の差込縁１６を矢印Ｂ方向に引っ張り、バンド１０が形成している環の径を小さくして、バンド１０で配線１００を結束して保持する。この時、バンド１０には、凹部１９が形成されており、長手方向に垂直な方向の両端部２０Ａ及び２０Ｂの肉厚が、両端部２０Ａ及び２０Ｂの間の肉厚よりも厚くなっている。このため、バンド１０を矢印Ｂ方向に引っ張ると、バンド１０は、図１８に示すように、両端部２０Ａ及び２０Ｂが互いに近づくように湾曲し、両端部２０Ａ及び２０Ｂは、第１の固定部５１の貫通孔５５の上部を画定している壁部６９Ａ及び６９Ｂに接触する。この動作により、第２の係合部１８が第１の係合部１３から離れて、両者の係合が一時的に解除される。したがって、バンド１０を簡単に矢印Ｂ方向に引っ張ることができる。また、第１の係合部１３に形成された歯１３Ａと、第２の係合部１８に形成された歯１８Ａの形状（図６参照）から、バンド１０は、矢印Ｂ方向と反対の方向（図１４に示す矢印Ｄ方向）には移動することはない。したがって、バンド１０による配線１００の結束が不意に緩むことがなく、配線１００は安定した状態で確実に保持される。
【００３９】
一方、バンド１０を矢印Ｂ方向に引っ張る動作を中止すれば、第１の係合部１３と第２の係合部１８は再び係合し、バンド１０は確実にロックされる。配線１００をハンド１０で保持した後、バンド通し部２１にバンド１０の差込縁１６を通して、バンド１０を留めておいてもよい。
【００４０】
一方、バンド１０による配線１００の保持を解除する場合は、操作片１５を指で押して屈曲部１２の屈曲角度を小さくすることで、係止爪１４と係止部５９との係止状態を解除して、図１４に示すように、折返部１１を矢印Ｅ方向に移動させてロック穴５６から抜き取ればよい。この状態では、第１の係合部１３と第２の係合部１８との係合が解除されているため、バンド１０は矢印Ｄ方向にも移動可能となる。
【００４１】
なお、本発明にかかる長尺体保持具１は、図２０に示すように、第１の固定部５１の壁部５７の貫通孔５５を画定する壁面に、バンド１０に形成された第２の係合部１８の歯１８Ａによって仮止めされる仮止部８０を形成することもできる。この仮止部８０によってバンド１０の所望の位置を仮止めしておくことができるため、例えば、保持すべき配線１００の径に応じてバンド１０を仮止めしておけば、配線１００を保持する作業を、さらに効率よく行うことができる。
【００４２】
また、長尺体保持具１をシャーシ２００に固定するための形態は、本実施の形態で説明したものに限らず、例えば、特開平９−１１９４１６号公報等に記載されている形態や、ベース部５０（本実施の形態では第１の固定部５１）の裏面に両面接着シート等を配設する等、シャーシ２００に固定可能であれば、特にその形態は限定されるものではない。
【図面の簡単な説明】
【００４３】
【図１】本発明の実施の形態にかかる長尺体保持具の斜視図である。
【図２】図１に示す長尺体保持具の構成要素である長尺体保持部としてのバンドの斜視図である。
【図３】図２に示すバンドの裏面を示す斜視図である。
【図４】図３に示すバンドの側面図である。
【図５】図４に示すＶ−Ｖ線に沿って破断した状態を示す断面図である。
【図６】図５に示すVI−VI線に沿って破断した状態を示す断面の一部を示す図である。
【図７】図１に示す長尺体保持具の構成要素であるベース部の斜視図である。
【図８】図７に示すベース部の正面図である。
【図９】図８に示すIX−IX線に沿って破断した状態を示す断面図である。
【図１０】図１に示す長尺体保持具で、長尺体としての複数の配線を保持する工程の一部を示す斜視図である。
【図１１】図１に示す長尺体保持具で、長尺体としての複数の配線を保持する工程の一部を示す側面図である。
【図１２】図１に示す長尺体保持具で、長尺体としての複数の配線を保持する工程の一部を示す斜視図である。
【図１３】図１に示す長尺体保持具で複数の配線を保持する工程の一部を示す側面図である。
【図１４】図１に示す長尺体保持具で複数の配線を保持する工程の一部を示す側面図である。
【図１５】図１１に示すXV−XV線に沿って破断した状態を示す断面図である。
【図１６】図１３に示すXVI−XVI線に沿って破断した状態を示す断面図である。
【図１７】図１６に示すXVII−XVII線に沿って破断した状態を示す断面図であり、バンドをロックした状態を示す図である。
【図１８】図１６に示すXVII−XVII線に沿って破断した状態を示す断面図であり、バンドをロック状態で移動させている状態を示す図である。
【図１９】図７に示すベース部を対象物（シャーシ）に固定した状態を示す図であり、対象物のみを断面にした図である。
【図２０】本発明の他の実施形態にかかる長尺体保持具の図１５に対応する図である。
【符号の説明】
【００４４】
１    長尺体保持具
１０    バンド
１１    折返部
１２    屈曲部
１３    第１の係合部
１３Ａ、１８Ａ    歯
１４    係止爪
１５    操作片
１６    差込縁
１８    第２の係合部
１８Ｂ、１８Ｃ    外壁
１９    凹部
２０Ａ、２０Ｂ    端部
２１    バンド通し部
２２、２３    ヒンジ部
５０    ベース部
５１    第１の固定部
５２    第２の固定部
５５    貫通孔
５６    ロック穴
５９    係止部
８０    仮止部
１００    配線
２００    シャーシ
【図１】
0004516498.tif 000002
【図２】
0004516498.tif 000003
【図３】
0004516498.tif 000004
【図４】
0004516498.tif 000005
【図５】
0004516498.tif 000006
【図６】
0004516498.tif 000007
【図７】
0004516498.tif 000008
【図８】
0004516498.tif 000009
【図９】
0004516498.tif 000010
【図１０】
0004516498.tif 000011
【図１１】
0004516498.tif 000012
【図１２】
0004516498.tif 000013
【図１３】
0004516498.tif 000014
【図１４】
0004516498.tif 000015
【図１５】
0004516498.tif 000016
【図１６】
0004516498.tif 000017
【図１７】
0004516498.tif 000018
【図１８】
0004516498.tif 000019
【図１９】
0004516498.tif 000020
【図２０】
0004516498.tif 000021